(57)【要約】【課題】ＲＦＩＤの回収を促進し、資源を有効利用することができるようにする。【解決手段】スーパーマーケット等に訪れた客が駐車場の入口において会員カードをリードライト部４にかざすと、会員カードから会員情報が読み取られ、入場時刻が記録される。店内端末の会員カード挿入部３３に会員カードを挿入し、商品から剥がしたＲＦＩＤ１００を回収ＢＯＸ６１に開口部６３から投入すると、回収ＢＯＸ６１内に設けられた読取部６２がＲＦＩＤ１００の価格情報を読み取り、店内端末３１に供給する。店内端末３１は回収されたＲＦＩＤ１００の価格情報から合計金額を算出し、合計金額に応じたポイントを会員カードに付与し、排出する。出口では会員カードに記録されたポイントにより駐車料金が精算される。【選択図】図１
2005284746.tif 000002
【特許請求の範囲】
【請求項１】
情報を記録する記録媒体と、
商品の価格情報が記憶されたＲＦＩＤと、
商品に貼付された前記ＲＦＩＤを回収するための回収ボックスと、
前記回収ボックス内に設けられ、前記回収ボックスに回収される前記ＲＦＩＤから、前記ＲＦＩＤが貼付されていた商品の価格情報を読み取る読み取り手段と、
前記読み取り手段によって読み取られた前記価格情報に基づいて、前記価格情報によって示される価格の合計金額を算出する金額算出手段と、
前記金額算出手段によって算出された前記合計金額に対応する情報を前記記録媒体に記録する記録手段と
を備えることを特徴とするＲＦＩＤ回収システム。
【請求項２】
更に、前記金額算出手段によって算出された前記合計金額に基づくポイントを算出するポイント算出手段を備え、前記記録手段は、前記合計金額に対応する情報として前記ポイント算出手段により算出された前記ポイントを前記記録媒体に記録する
ことを特徴とする請求項１記載のＲＦＩＤ回収システム。
【請求項３】
前記記録媒体は、磁気記録部を有する駐車券であり、
更に、前記金額算出手段によって算出された前記合計金額に基づく無料駐車時間を算出する無料駐車時間算出手段を備え、前記記録手段は、前記合計金額に対応する情報として前記無料駐車時間算出手段により算出された前記無料駐車時間を前記駐車券の前記磁気記録部に記録する
ことを特徴とする請求項１記載のＲＦＩＤ回収システム。
【発明の詳細な説明】
【技術分野】
【０００１】
本発明は、ＲＦＩＤ回収システムに関し、商品に貼付されたＲＦＩＤを回収するＲＦＩＤ回収システムに関する。
【背景技術】
【０００２】
従来、スーパーマーケット等では、商品に印刷されたバーコードを読み取り、商品代金を求め、精算を行っている。また、駐車場を利用したときの駐車料金の精算は、駐車場入口の端末にて、磁気記録可能な磁気記録部を有する用紙の表面に入場時刻を印字するとともに、磁気記録部に入場時刻を示すデータを磁気的に記録して駐車券として発行し、駐車場出口の端末に駐車券を挿入することにより、磁気記録部から読み取られた入場時刻から出場時刻までの経過時間を計測し、経過時間分の駐車料金を請求するシステムが知られている。また、商品購入額に応じて受付などで無料駐車時間を付与するサービスを提供することもある。
また、非接触でデータの読み取りおよび書き込みが可能なＩＣ（ｉｎｔｅｇｒａｔｅｄ  ｃｉｒｃｕｉｔ）カードを使用して、顧客が駐車場に入る際に入庫時刻をＩＣカードに書き込み、各店で商品を購入した際に購入金額に応じたポイント数および累積ポイント数をＩＣカードに書き込み、駐車場から出る際にＩＣカードに出庫時刻を書き込み、書き込まれた入庫時刻および出庫時刻から駐車時間を算出し、この駐車時間に基づいて顧客が負担すべき駐車料金を算出するとともに、割引き駐車料金をポイント数に応じて各店に負担させる駐車料金精算システムが知られている（例えば、特許文献１）。
【特許文献１】特開平９−７３５６４号公報
【発明の開示】
【発明が解決しようとする課題】
【０００３】
しかしながら、背景技術では、購入した商品の代金を精算する場合、各商品に印刷されたバーコードを読み込んだり、各商品の価格を手入力したりする必要があり、スムーズに精算することができないという問題があった。そこで、ＲＦＩＤ（Ｒａｄｉｏ  Ｆｒｅｑｕｅｎｃｙ−Ｉｄｅｎｔｉｆｉｃａｔｉｏｎ）をそれぞれの商品に貼付することにより、一括で複数の商品の価格情報を読み取り、精算を行うとともに、精算後の商品に貼付されたＲＦＩＤを回収して商品の価格情報を書き換えることにより、新たな商品にＲＦＩＤを再利用することが提案されている。しかしながら、レジカウンターで操作者が各商品に貼付されたＲＦＩＤを回収すると回収作業に時間を要する為、結果としてレジカウンターに行列ができてしまうという問題があった。
また、非接触でデータの読み取りおよび書き込みが可能なＩＣカードを利用して、商品を購入した際に購入金額に応じたポイント数および累積ポイント数をＩＣカードに書き込み、そのポイント数を考慮して駐車料金の精算を行うものがあるが、回収されたＲＦＩＤの価格情報に基づいてポイントを付与し、そのポイントを駐車料金の支払いに使用することができるシステムはなかった。
【０００４】
本発明はこのような状況に鑑みてなされたものであり、商品の価格を記録したＲＦＩＤを商品に貼付し、ＲＦＩＤから商品の価格を読み取ることにより、商品代金の精算を効率よく行うとともに、回収したＲＦＩＤから商品の価格を読み取り、その合計金額に対応するポイントを付与することにより、商品に貼付されたＲＦＩＤの回収率を上げ、再利用を促進することができるシステムである。
【課題を解決するための手段】
【０００５】
請求項１に記載のＲＦＩＤ回収システムは、情報を記録する記録媒体と、商品の価格情報が記憶されたＲＦＩＤと、商品に貼付された前記ＲＦＩＤを回収するための回収ボックスと、前記回収ボックス内に設けられ、前記回収ボックスに回収される前記ＲＦＩＤから、前記ＲＦＩＤが貼付されていた商品の価格情報を読み取る読み取り手段と、前記読み取り手段によって読み取られた前記価格情報に基づいて、前記価格情報によって示される価格の合計金額を算出する金額算出手段と、前記金額算出手段によって算出された前記合計金額に対応する情報を前記記録媒体に記録する記録手段とを備えることを特徴とするＲＦＩＤ回収システム。
また、更に、金額算出手段によって算出された合計金額に基づくポイントを算出するポイント算出手段を備え、記録手段は、合計金額に対応する情報としてポイント算出手段により算出されたポイントを記録媒体に記録するようにすることができる。
また、記録媒体は、磁気記録部を有する駐車券であり、更に、金額算出手段によって算出された合計金額に基づく無料駐車時間を算出する無料駐車時間算出手段を備え、記録手段は、合計金額に対応する情報として無料駐車時間算出手段により算出された無料駐車時間を駐車券の磁気記録部に記録するようにすることができる。
【発明の効果】
【０００６】
本発明のＲＦＩＤ回収システムによれば、回収したＲＦＩＤから価格情報を読み取り、価格情報によって示される価格の合計金額に対応する情報を記録媒体に記録するようにしたので、回収したＲＦＩＤに対応する合計金額に応じたサービスを提供することができる。これにより、ＲＦＩＤの回収率を上げ、リサイクルを促進することができ、資源を有効活用することができる。
【発明を実施するための最良の形態】
【０００７】
図１は、本発明が適用されるＩＣカードシステムの一実施の形態の構成例を示している。同図に示すように、本実施の形態は、スーパーマーケットの駐車場の入口に設置された端末１と、店内に設置された店内端末３１と、店内端末３１に接続された回収ボックス（ＢＯＸ）６１と、駐車場の出口に設置された端末１１とから構成されている。端末１は、各種メッセージを表示するための表示部２と、非会員に対して図示せぬ駐車券の磁気記憶部に入場時刻を記憶し発行する発行部３と、会員カードに埋め込まれている図示せぬＩＣチップに記録された会員情報を読み取るとともに、入場時刻を書き込むリードライト部４と、駐車券の発行を指示するための発行ボタン５と、ポール７を上下させて自動車の入場を制御するゲート６と、各部を制御する図示せぬ制御部とから構成されている。会員カードは、情報を記憶するメモリ等からなる半導体集積回路（ＩＣチップ）とアンテナがプラスチック製のカードに埋め込まれた一般的な非接触ＩＣカードである。従って、その構成および動作の詳細な説明は省略する。また、ＩＣチップに記憶された会員情報は、顧客の氏名、住所、電話番号、および商品の購入額に応じて付与されたポイント数の累計（以下では総ポイント数と記載する）等からなる。
【０００８】
店内端末３１は、各種メッセージを表示するための表示部３２と、会員カードを挿入するための会員カード挿入部３３と、駐車券を挿入するための駐車券挿入部３４と、各部を制御する制御部（図２）とから構成されている。店内端末３１に接続された回収ボックス６１には、開口部６３が設けられており、商品から剥離されたＲＦＩＤ（Ｒａｄｉｏ  Ｆｒｅｑｕｅｎｃｙ−Ｉｄｅｎｔｉｆｉｃａｔｉｏｎ）１００を開口部６３から回収ボックス６１の中に入れることができるようになっている。商品に貼付されているＲＦＩＤ１００には、その商品の価格を示す価格情報が記録されている。また、回収ボックス６１の内側の開口部６３の近傍には、読取部６２が設けられており、回収ボックス６１に入れられたＲＦＩＤ１００に記録されている商品の価格を示す価格情報を読み取り、店内端末３１に供給することができるようになっている。
【０００９】
端末１１は、各種メッセージを表示するための表示部１２と、駐車券を挿入するための挿入部１３と、会員カードに埋め込まれているＩＣチップに記録された会員情報を読み取るとともに駐車料金に対してポイント精算した場合のポイント精算により減算された総ポイント数を書き込むリードライト部１４と、ポール１７を上下させて自動車の出場を制御するゲート１６と、各部を制御する図示せぬ制御部とから構成されている。
【００１０】
図２は、店内端末３１の電気的な構成例を示すブロック図である。同図に示すように、店内端末３１は、各部を制御する制御部４０と、駐車券挿入部３４より挿入された駐車券の磁気記録部に対して各種データの書き込みおよび読み取りを行う駐車券リードライト部４８と、会員カード挿入部３３より挿入された会員カードのＩＣチップに対して各種データの書き込みおよび読み取りを行う会員カードリードライト部５０と、各種メッセージを表示する表示部３２とから構成され、店内端末３１には回収ボックス６１が接続されている。
【００１１】
制御部４０は、制御プログラムを記憶するＲＯＭ（ｒｅａｄ  ｏｎｌｙ  ｍｅｍｏｒｙ）４２と、ＲＯＭ４２に記憶されている制御プログラムに従って動作し、各部を制御するＣＰＵ（ｃｅｎｔｒａｌ  ｐｒｏｃｅｓｓｉｎｇ  ｕｎｉｔ）４１と、ＣＰＵ４１が各種処理を実行する上で必要となる各種データを記憶するＲＡＭ（ｒａｎｄｏｍ  ａｃｃｅｓｓ  ｍｅｍｏｒｙ）４３と、表示部３２が接続されたインタフェース４６と、駐車券リードライト部４８を制御する駐車券リードライト制御部４７と、会員カードリードライト部５０を制御する会員カードリードライト制御部４９と、回収ボックス６１の読取部６２を制御し、読取部６２によって読み取られた価格情報を受け取るＲＦＩＤ読取制御部５１とから構成されている。
【００１２】
回収ボックス６１の読取部６２は、開口部６３より回収ボックス６１の中に投入されたＲＦＩＤ１００から価格情報を読み取り、ＲＦＩＤ読取制御部５１に供給するようになっている。
【００１３】
次に、本実施の形態の動作について説明する。スーパーマーケットを訪れた顧客は、駐車場の入口において、会員カードを持っている場合、端末１のリードライト部４に会員カードをかざし、会員カードを持っていない場合、発行ボタン５を押下する。会員カードをかざしたとき、リードライト部４は、会員カードのＩＣチップに記憶されている会員情報を読み取り、図示せぬ制御部に供給する。制御部は、リードライト部４より供給された会員情報が正規のものであるか否かを判定し、正規のものであれば、入場時刻をリードライト部４によって会員カードに記録し、排出する。一方、会員情報が正規のものでない場合、または顧客が発行ボタン５を押下した場合、制御部は発行部３に対して駐車券を発行するよう指令する。この指令を受けた発行部３は、磁気記録部に入場時刻を記録した駐車券を発行する。次に、制御部は、ゲート６に対してポール７を上げるよう指令する。この指令を受けたゲート６はポール７を上げ、自動車が入場できるようにする。
【００１４】
次に、顧客は、レジカウンターにて店内で購入した商品の代金の精算を行う。その際、所定の読み取り装置により、複数の商品のそれぞれに貼付されているＲＦＩＤ１００からそれぞれの価格情報が一括して読み取られ、購入した複数の商品の合計金額が計算される。
【００１５】
次に、顧客は、購入した商品からＲＦＩＤ１００を剥がし、このＲＦＩＤ１００を持って店内端末３１が設置されている場所に移動し、会員カードを持っている場合、店内端末３１の会員カード挿入部３３に会員カードを挿入する。一方、非会員で駐車券を持っている場合、駐車券を駐車券挿入部３４に挿入する。
【００１６】
以下、店内端末３１の処理手順について、図３のフローチャートを参照して説明する。まず、ステップＳ１において、制御部４０のＣＰＵ４１により、会員カード挿入部３３に会員カードが、または駐車券挿入部３４に駐車券が挿入されたか否かが判定される。会員カード挿入部３３および駐車券挿入部３４には、それぞれ図示せぬセンサが設けられており、会員カードまたは駐車券が挿入されたとき、ＣＰＵ４１に対して会員カードまたは駐車券が挿入されたことが通知される。従って、ＣＰＵ４１は、センサからの通知の有無により会員カードまたは駐車券が挿入されたか否かを判定することができる。その結果、会員カード挿入部３３に会員カードが、または駐車券挿入部３４に駐車券が挿入されたと判定された場合、ステップＳ２に進む。一方、会員カード挿入部３３に会員カードが挿入されておらず、かつ駐車券挿入部３４に駐車券が挿入されていないと判定された場合、ステップＳ１に戻り、ステップＳ１以降の処理が繰り返し実行される。
【００１７】
ステップＳ２においては、ＣＰＵ４１により、メッセージ「回収ボックスにＲＦＩＤを入れてください」を表示するための表示データが生成され、インタフェース４６を介して表示部３２に供給される。表示部３２は、ＣＰＵ４１よりインタフェース４６を介して供給された表示データに対応するメッセージを表示部３２に表示する。顧客は、表示部３２に表示されたメッセージ「回収ボックスにＲＦＩＤを入れてください」を確認すると、持参したＲＦＩＤ１００を開口部６３から回収ボックス６１の中に投入する。
【００１８】
次に、ステップＳ３において、回収ボックス６１の内部に設けられた読取部６２は、回収ボックス６１に次々と投入されるＲＦＩＤ１００と通信を行い、各ＲＦＩＤ１００に記憶されている価格情報を読み取り、店内端末３１の制御部４０のＲＦＩＤ読取制御部５１に供給する。ＲＦＩＤ読取制御部５１は、回収ボックス６１の読取部６２から供給された価格情報をＣＰＵ４１に供給する。ＣＰＵ４１は、ＲＦＩＤ読取制御部５１より供給された価格情報を一旦ＲＡＭ４３に供給し、記憶させる。
【００１９】
次に、ステップＳ４において、ＣＰＵ４１は、ＲＦＩＤ読取制御部５１より供給された価格情報に基づいて、回収ボックス６１に投入された全てのＲＦＩＤ１００に記憶されている価格情報から、各ＲＦＩＤ１００が貼付されていた商品の合計金額を演算する。
【００２０】
ステップＳ５においては、ＣＰＵ４１により、店内端末３１に挿入されたのは会員カードであるか否かが判定される。その結果、店内端末３１に挿入されたのは会員カードであると判定された場合、ステップＳ６に進み、合計金額に対応する情報としてポイント数が算出される。このポイント数は、予め設定されている合計金額に対する還元率により算出され、例えば還元率が１０％と設定されている場合に、合計金額の１０％がポイントとして算出される。
【００２１】
次に、ステップＳ７において、そのポイント数が会員カードに付与される。即ち、会員カードのＩＣチップに記憶されている会員情報を構成する総ポイント数が、その総ポイント数に上記合計金額に対応するポイント数を加算して得られたポイント数によって更新される。その後、ステップＳ８において、ＣＰＵ４１の制御により図示せぬ排出機構が駆動され、総ポイント数の更新がなされた会員カードが会員カード挿入部３３より排出される。
【００２２】
一方、ステップＳ５において、ＣＰＵ４１により、店内端末３１に挿入されたのは会員カードではない（駐車券である）と判定された場合、ステップＳ９に進み、合計金額に対応する情報として無料駐車時間が計算される。この無料駐車時間は、予め設定されている合計金額に対する無料駐車時間により算出され、例えば合計金額３０００円以上で無料駐車２時間付与と設定されている場合に、合計金額が３０００円以上のとき、２時間の無料駐車時間が算出される。そして、ステップＳ１０において、ＣＰＵ４１の制御を受けた駐車券リードライト制御部４７の制御により、合計金額に対応する無料駐車時間が駐車券の磁気記録部に記録される。その後、ステップＳ１１において、ＣＰＵ４１の制御により図示せぬ排出機構が駆動され、無料駐車時間が記録された駐車券が駐車券挿入部３４から排出される。
【００２３】
ステップＳ８またはステップＳ１１の処理が終了すると、ステップＳ１に戻り、ステップＳ１以降の処理が繰り返し実行される。
【００２４】
最後に、出場時、顧客は駐車場の出口の端末１１において、会員カードを持っている場合、リードライト部１４に会員カードをかざし、会員カードを持っていない場合、挿入部１３に駐車券を挿入する。会員カードをかざしたとき、リードライト部１４は、会員カードのＩＣチップに記憶されている会員情報と入場時刻を示す情報を読み取り、図示せぬ制御部に供給する。制御部は、リードライト部１４より供給された会員情報および入場時刻を示す情報と、図示せぬ計時回路が計時した現在時刻（出場時刻）を示す情報とを一旦図示せぬメモリに記憶させる。次に、出場時刻から入場時刻を差し引いた時間（駐車時間）を計算し、計算によって求めたその駐車時間に単位時間あたりの駐車料金を乗算することにより駐車料金を算出する。
【００２５】
次に、制御部は、駐車料金の精算方法を選択するための選択項目を表示部１２に表示させる。例えば、選択項目「ポイント精算する」と、「現金精算する」を表示部１２に表示させる。「ポイント精算する」が選択された場合は、駐車料金をポイント数に対応する金額で精算し、ポイント数に対応する金額が駐車料金に達しないとき、不足分は現金で精算することになる。また、「現金精算」が選択された場合は、駐車料金を現金で支払うことになる。
【００２６】
顧客が図示せぬ選択ボタンを押下して、選択項目「ポイント精算する」を選択すると、制御部は、駐車料金を会員カードに記憶されている総ポイント数で精算する。即ち、駐車料金に相当するポイント数を算出し、そのポイント数を総ポイント数から減算し、残りがあれば減算結果である残りのポイント数を新たに総ポイント数として会員カードに書き込み、更新する。これにより、駐車料金の精算が終了する。一方、駐車料金に相当するポイント数がない場合、不足する金額を表示部１２に表示させるとともに、その金額分の現金を図示せぬ現金投入口より投入するよう指示するメッセージを表示させる。顧客がその金額を現金投入口より投入することにより、駐車料金の精算が終了する。釣り銭が必要な場合は適宜釣り銭を図示せぬ釣り銭排出口より排出する。
【００２７】
一方、顧客が図示せぬ選択ボタンを押下して、選択項目「現金精算する」を選択すると、制御部は、駐車料金を表示部１２に表示させるとともに、その金額分の現金を図示せぬ現金投入口より投入するよう指示するメッセージを表示させる。顧客がその金額を現金投入口より投入することにより、駐車料金の精算が終了する。釣り銭が必要な場合は適宜釣り銭を図示せぬ釣り銭排出口より排出する。駐車料金の精算が終了すると、制御部は、ゲート１６に対してポール１７を上げるよう指令する。制御部からの指令を受けたゲート１６はポール１７を上げ、自動車が出場できるようにする。
【００２８】
また、出場時、顧客が駐車場の出口において、挿入部１３に駐車券を挿入すると、挿入部１３は挿入された駐車券の磁気記録部に記録された入場時刻を示す情報を読み取り、図示せぬ制御部に供給する。また、無料駐車時間を示す情報が記録されていればその情報も読み取り、制御部に供給する。制御部は、挿入部１３より供給された入場時刻を示す情報および無料駐車時間を示す情報と、図示せぬ計時回路が計時した現在時刻（出場時刻）を示す情報とを一旦図示せぬメモリに記憶させる。次に、出場時刻から入場時刻を差し引いた時間（駐車時間）を計算する。次に、駐車時間から無料駐車時間を減算し、超過駐車時間を算出する。超過駐車時間が０以下の値となった場合、駐車料金は無料となる。一方、超過駐車時間が０より大きい値になった場合、超過駐車時間分の駐車料金の支払いが必要となる。超過駐車時間に対応する駐車料金は、超過駐車時間に単位時間あたりの駐車料金を掛け合わせることにより求めることができる。
【００２９】
次に、制御部は、駐車料金が無料となった場合は、ゲート１６に対してポール１７を上げるよう指令する。制御部からの指令を受けたゲート１６は、ポール１７を上げ、自動車が出場できるようにする。一方、超過駐車時間が０より大きい場合、先に求めた超過駐車料金を表示部１２に表示させるとともに、その料金に対応する現金を現金投入口より投入するよう指示するメッセージを表示させる。顧客がその金額を現金投入口より投入することにより、駐車料金の精算が終了する。釣り銭が必要な場合は適宜釣り銭を図示せぬ釣り銭排出口より排出する。その後、制御部は、ゲート１６に対してポール１７を上げるよう指令する。制御部からの指令を受けたゲート１６は、ポール１７を上げ、自動車が出場できるようにする。
【００３０】
以上説明したように、本実施の形態では、レジカウンターでポイントを付与せず、回収ボックス６１にＲＦＩＤ１００を入れて初めてポイントを付与するようにしたので、顧客はポイント欲しさに、自らＲＦＩＤ１００を商品から剥がして回収ボックス６１に入れるため、レジカウンターの操作者がＲＦＩＤ１００の回収作業をしなくてよく、更にＲＦＩＤ１００の回収率を上げることができる。
【００３１】
なお、店側で会員情報を管理する場合は、たとえば店内端末３１に図示しないホストコンピュータを接続するようにして、ホストコンピュータ側で会員情報を記憶する構成としてもよい。
【００３２】
また、上記実施の形態の構成および動作は例であって、例えば端末１、１１のリードライト部４、１４は、会員カード挿入部３３とすることもできる。
【図面の簡単な説明】
【００３３】
【図１】本発明が適用されるＩＣカードシステムの一実施の形態の構成例を示す図である。
【図２】店内端末と回収ボックスの構成例を示すブロック図である。
【図３】店内端末の動作を説明するためのフローチャートである。
【符号の説明】
【００３４】
１，１１  端末
２，１２，３２  表示部
３  発行部
４，１４  リードライト部
５  発行ボタン
６，１６  ゲート
７，１７  ポール
１３  挿入部
３１  店内端末
３３  会員カード挿入部
３４  駐車券挿入部
４０  制御部
４１  ＣＰＵ
４２  ＲＯＭ
４３  ＲＡＭ
４６  インタフェース（Ｉ／Ｆ）
４７  駐車券リードライト制御部
４８  駐車券リードライト部
４９  会員カードリードライト制御部
５０  会員カードリードライト部
５１  ＲＦＩＤ読取制御部
６１  回収ボックス（ＢＯＸ）
６２  読取部
６３  開口部
【図１】
2005284746.tif 000003
【図２】
2005284746.tif 000004
【図３】
2005284746.tif 000005